【手続補正書】
【提出日】平成17年4月12日(2005.4.12)
【手続補正１】
【補正対象書類名】明細書
【補正対象項目名】特許請求の範囲
【補正方法】変更
【補正の内容】
【特許請求の範囲】
【請求項１】
第１の可視ディスプレイ解像度、ピクセル速度および走査線速度を特徴とするディジタルビデオ入力信号の連続する入力フレームを受信し、かつ、それに応じて第２の可視ディスプレイ解像度、ピクセル速度および走査線速度を特徴とする、ディスプレイで見るためのディジタルビデオ出力信号の連続する出力フレームを発生させるフォーマット変換器であって、
前記第１および第２の可視ディスプレイ解像度、ピクセル速度および走査線速度を表す動作モード情報を受信するプログラミングインタフェース手段と、
前記ディジタルビデオ入力信号を記憶するメモリ手段と、
前記メモリ手段から前記ディジタルビデオ入力信号を引き出し、該ディジタルビデオ入力信号を選択的に非飛越し走査（de-interlace）し、フィルタリングし、およびスケーリングするとともに、それに応じて前記ディジタルビデオ出力信号を発生させるディスプレイプロセッサ手段と、
フリーランニングディスプレイクロック（free running display clock）を含み、前記プログラミングインタフェース手段により受信された前記動作モード情報に基づく前記ディジタルビデオ入力信号から同期化および制御情報を得るとともに、それに応じて前記第２の可視ディスプレイ解像度、ピクセル速度および、前記第１の可視ピクセル速度の分数倍数(fractional multiple)である走査線速度で、ディスプレイ用の前記連続する入力フレームの各々にロックされたフレームおよび前記フリーランニングディスプレイクロックに同期した前記ディジタルビデオ出力信号の前記連続する出力フレームを発生させる前記ディスプレイプロセッサ手段の動作を制御するディスプレイタイミング制御装置手段と
を具備することを特徴とするフォーマット変換器。
【請求項２】
前記ディスプレイタイミング制御装置は、
前記フリーランニングディスプレイクロックを取り込み、ディスプレイメインクロック信号を発生させるクロック発生手段と、
前記ディジタルビデオ入力信号の各々のフレームの所定の時刻でロックイベント（lock event）信号を発生させるロックイベント制御装置と、
前記ロックイベント信号と前記動作モード情報とに基づいて前記ディジタルビデオ入力信号と前記ディジタルビデオ出力信号との間の同期化を制御するために、ディスプレイ水平ロックイベント信号とディスプレイ垂直ロックイベント信号とを発生させるディスプレイ同期化手段と、
前記動作モード情報により前記ディスプレイプロセッサ手段を制御するために前記水平ロックイベント信号および垂直ロックイベント信号と同期させられたタイミング信号を発生させるディスプレイタイミング発生手段と
をさらに具備することを特徴とする請求項１記載のフォーマット変換器。
【請求項３】
前記クロック発生手段は、
前記ディジタル入力ビデオ信号から得られる入力クロック信号を受信し、かつ、それに応じて前記入力信号クロック信号の比率倍数である合成されたクロック信号を発生させる位相ロックループ手段と、
前記フリーランニングディスプレイクロックまたは前記位相ロックループのうちのいずれかを、前記ディスプレイメインクロック信号の出力用発生源として選択するクロックセレクタと
をさらに具備することを特徴とする請求項２記載のフォーマット変換器。
【請求項４】
前記ロックイベント制御装置は、
前記動作モード情報に基づいて、所定の水平ロックイベント値および所定の垂直ロックイベント値を発生させるプログラム可能制御レジスタと、
前記ディジタル入力信号ビデオ信号の水平同期パルスの連続の各々に対して前記入力クロック信号の連続するサイクルを計数し、かつ、それに応じて水平ピクセル計数値を発生させる水平ピクセルイベントカウンタと、
前記水平ピクセル計数値を前記所定の水平ロックイベント値と比較し、かつ、該水平ピクセル計数値が前記所定の水平ロックイベント値と等しい場合に水平ロックイベントパルスを発生させる水平ピクセルイベント比較器と、
前記ディジタル入力信号ビデオ信号の垂直同期パルスの連続に対して前記水平同期パルスの連続するパルスを計数し、かつ、それに応じて垂直走査線計数値を発生させる垂直走査線カウンタと、
前記垂直走査線計数値を前記所定の垂直ロックイベント値と比較し、かつ、該垂直走査線計数値が前記所定の垂直ロックイベント値と等しい場合に垂直ロックイベントパルスを発生させる垂直走査線イベント比較器と、
前記水平ロックイベント値と垂直ロックイベント値とが一致する場合にロックイベントパルスを発生させるロックイベント発生器と、
前記動作モードに基づいたロックイベント信号としての出力用に、前記ディジタル入力ビデオ信号や前記入力クロック信号から得られるフレーム同期信号、または前記ロックイベントパルスのいずれか１つを選択するロックイベントセレクタと
をさらに具備することを特徴とする請求項３記載のフォーマット変換器。
【請求項５】
前記ディスプレイ同期装置は、前記入力クロック信号、前記ディスプレイメインクロック信号、前記ロックイベント信号、および前記動作モード情報を受信し、かつ、それに応じて、前記水平ロックイベント信号および垂直ロックイベント信号とランイネーブル信号とを発生させる回路をさらに具備し、
（ｉ）前記動作モード情報がフリーラン動作モードを示しているイベントにおいて、前記ディジタル入力ビデオ信号と前記ディジタル出力ビデオ信号との間に同期化がないように、かつ、前記ディスプレイタイミング発生器を使用可能または使用禁止にするために前記ランイネーブル信号が前記ディスプレイメインクロック信号と同期させられるように、ディスプレイ水平ロックイベント信号およびディスプレイ垂直ロックイベント信号が抑制され、
（ii）前記動作モードがクロック同期の動作モードを示しているイベントにおいて、前記ディスプレイ水平ロックイベント信号およびディスプレイ垂直ロックイベント信号は、開始時において最初に前記ロックイベント信号に同期させられ、かつ、前記ランイネーブル信号は、後で前記ディスプレイタイミング発生器を使用可能または使用禁止にする前記ディスプレイメインクロック信号と同期させられており、
（iii）前記動作モードがフレーム同期の動作モードを示しているイベントにおいて、前記ディスプレイ水平ロックイベント信号およびディスプレイ垂直ロックイベント信号は、フレーム毎のディジタル入力ビデオ信号に基づいて、前記ロックイベント信号に同期させられ、かつ、前記ランイネーブル信号は、前記ディスプレイタイミング発生器を使用可能または使用禁止にするために前記ディスプレイメインクロック信号と同期させられており、
（iv）前記動作モードが走査線同期の動作モードを示しているイベントにおいて、前記ディスプレイ水平ロックイベント信号およびディスプレイ垂直ロックイベント信号は、走査線毎またはフレーム毎のディジタル入力ビデオ信号に基づいて、前記ロックイベント信号に同期させられ、かつ、前記ランイネーブル信号は、前記ディスプレイタイミング発生器を使用可能または使用禁止にするために前記ディスプレイメインクロック信号と同期させられる
ことを特徴とする請求項４記載のフォーマット変換器。
【請求項６】
前記ディスプレイタイミング発生器は、
前記ディスプレイメインクロック信号、前記動作モード情報、前記水平ロックイベント信号、および前記ランイネーブルを受信し、かつ、それに応じて、前記ディジタル出力ビデオ信号の連続走査線間の移行を示すフレームの水平端信号、前記ディスプレイを駆動するディスプレイ水平同期信号、および前記ディスプレイを使用可能にする出力イネーブル信号を発生させる水平制御装置と、
前記ディスプレイメインクロック信号、前記動作モード情報、前記垂直ロックイベント信号、前記ランイネーブル、および前記フレームの水平端信号を受信し、かつ、それに応じて、前記ディスプレイを駆動するディスプレイ垂直同期信号と、前記出力イネーブル信号の発生に関連して前記水平制御装置に適用するディスプレイ垂直イネーブル信号とを発生させる垂直制御装置と
をさらに具備することを特徴とする請求項５記載のフォーマット変換器。
【請求項７】
前記ディジタル入力ビデオ信号は飛越し走査信号であり、前記ディジタル出力ビデオ信号は順次走査信号であることを特徴とする請求項１記載のフォーマット変換器。
【請求項８】
前記ディジタル入力ビデオ信号は順次走査信号であり、前記ディジタル出力ビデオ信号もまた順次走査信号であることを特徴とする請求項１記載のフォーマット変換器。
【請求項９】
第１の可視ディスプレイ解像度、ピクセル速度、及び走査線速度によって特徴づけられるディジタルビデオ入力信号の連続する入力フレームから同期化および制御情報を得るとともに、それに応じて前記第１の可視ディスプレイ解像度、ピクセル速度および走査線速度とは異なる第２の可視ディスプレイ解像度、ピクセル速度および走査線速度で、ディスプレイ用のディジタルビデオ出力信号の連続する出力フレームを発生させるディスプレイプロセッサの動作を制御するディスプレイタイミング制御装置であって、
フリーランニングディスプレイクロック（free running display clock）を含み、ディスプレイメインクロック信号を発生させるクロック発生手段と、
前記ディジタルビデオ入力信号の各々のフレームの所定の時刻にロックイベント信号を発生させるロックイベント制御装置と、
前記ロックイベント信号に基づいて前記ディジタルビデオ入力信号と前記ディジタルビデオ出力信号との間の同期化を制御するために、ディスプレイ水平ロックイベント信号およびディスプレイ垂直ロックイベント信号を発生させるディスプレイ同期化手段と、
前記可視ディスプレイ解像度、ピクセル速度、および、前記第１の可視ピクセル速度の分数倍数(fractional multiple)である走査線速度で、前記ディスプレイ用の前記連続する入力フレームの各々にロックされたフレームおよび前記フリーランニングディスプレイクロックに同期した前記ディジタルビデオ出力信号の前記連続する出力フレームを発生させるべく前記ディスプレイプロセッサを制御するために前記水平ロックイベント信号および垂直ロックイベント信号と同期させられたタイミング信号を発生させるディスプレイタイミング発生手段と
を具備することを特徴とするディスプレイタイミング制御装置。